(57)【要約】      （修正有）【課題】構造が簡単かつ堅牢で、組立容易な伸縮自在の伸縮収納ベッドを提供する。【解決手段】ベッドは、ヘッド枠１に伸縮自在に連設された前床７と後床１３からなる。この伸縮は、前床７の簀子座８と後床１３の簀子座１４を互い違いに嵌装して、後床１３を前後にスライドして行う。簀子座８と簀子座１４の嵌装は、前床７の両側床枠１０に設けられた案内溝に、後床１３の両側床枠１６に設けられた案内凸条を挿通することにより合芯して行う。また、不使用時、後床１３のスライドにより短縮して、ヘッド枠１の支持板５と前枠８の両側床枠１０の前部に設けられた嵌合溝との係合を支点軸に、前倒しに反転して折り畳むことができる。全部材が木製でキット化され、着脱自在に構成されているので、現場で簡単に組み立て、解体ができる。【選択図】図１
0003145686.tif 000002
【実用新案登録請求の範囲】
【請求項１】
ヘッド枠と、ヘッド枠に連設され、長手方向に櫛状の簀子座を有する前床及び後床を備え、前床の簀子座に後床の簀子座を嵌装して、後床のスライドにより床長を伸縮自在にしたことを特徴とする伸縮収納ベッド。
【請求項２】
前床の簀子座は後端を除いて床枠で囲み、後床の簀子座は前端を除いて床枠で囲み、前床の後端下面と後床の前端下面に係止板を設けて各簀子を一本毎に接合し、少なくともいずれか一方の接合は、両簀子座を嵌装した後に行い、前床と後床を一体化し、両係止板の係合により、伸長時に前床から後床が抜けないようにしたことを特徴とする請求項１記載の伸縮収納ベッド。
【請求項３】
前床の両側床枠に案内凹溝を設け、後床の両側床枠に案内凸条を設け、案内凹溝に案内凸条を挿通するようにしたことを特徴とする請求項１又は請求項２記載の伸縮収納ベッド。
【請求項４】
ヘッド枠の下部に支持板を設け、前床両側の床枠に設けられた嵌合溝と支持板との係合により、前床の前端を支持し、後端は後枠に設けられた脚で支持し、後床の前端は実質的に前床の脚で、後端は後枠に設けられた脚で支持するようにしたことを特徴とする請求項１乃至請求項３のいずれか１項に記載の伸縮収納ベッド。
【請求項５】
支持板と前床の嵌合溝との係合を支点軸に回動して、前床と後床をヘッド枠に向かい折り畳みできるようにしたことを特徴とする請求項１乃至請求項４のいずれか１項に記載の伸縮収納ベッド。
【考案の詳細な説明】
【技術分野】
【０００１】
本考案は、伸縮収納ベッド、特に長手方向に伸縮自在の伸縮収納ベッドに関するものである。
【背景技術】
【０００２】
長手方向に伸縮自在のベッドとして、例えば特許文献１及び特許文献２がすでに知られている。特許文献１は、本体とスライド部からなり、スライド部を本体に収納したり、引き出したりする多機能ベッドを開示している。この発明では、本体の座板を第１座板と着脱自在のスペーサ座板で構成し、スライド部引き出し時は、本体とスライド部の間にスペーサ座板を敷き、スライド部の脚長の調整とともに、両者の上面を面合わせし、スライド部収納時には、スペーサ座板を取り除き、それにより第１支持枠との間に生じた開口部からスライド部を収納するようにしているが、スライド部の伸縮、高さ調整の構成が複雑である。また特許文献２は、ヘッド枠フレームとフットフレームを前後に配置し、各両側に一対のサイドパイプを設け、ヘッド枠フレームの一対のサイドパイプと、フットフレームの一対のサイドパイプとを一対のチャンネルに挿通して、両フレームを前後に伸縮するようにした伸縮自在のベッドを開示している。本発明では、この前後駆動をネジ切りシャフトの回転で行っているが、それだけヘッド枠フレームとフットフレームの各サイドパイプとチャンネルの摩擦抵抗が大きいことを示唆している。さらに、チャンネルは、ネジ切りシャフト支持用の補助フレームの両端のみで支持されており、構造的に極めて不安定である。
【特許文献１】特開２００２−２８０５０号公報
【特許文献２】特開２００８−１７０公報
【０００３】
特許文献３は、高低の異なる二つのベッドの床を短手方向において櫛状に形成し、高さの調節により櫛を互い違い嵌装して、幅をシングルからダブルに伸縮したり、病人や障害者の移載や、マット等の装具の取り扱いを容易にしたりする双方向交差式移動ベッドを開示している。しかしながら、この発明では、櫛の先端は開放されたままで危険性が高い。また床を伸縮するのに、電動油圧モータによる上下動と、キャスターを利用した人手による左右方向の移動との２段運動の組み合わせを要し、作業性が悪く、移動長の大きい長手方向の床の伸縮には不適である。
【特許文献３】特開２００５−２３０４２４号公報
【考案の開示】
【考案が解決しようとする課題】
【０００４】
本考案は、前記のごとき問題点を解決したもので、構造が簡単かつ堅牢で、組立容易な伸縮自在の伸縮収納ベッドを提供することを目的としている。
【課題を解決するための手段】
【０００５】
前記目的を達成した本考案の伸縮自在の伸縮収納ベッドは、下記各項の形態を含むことを特徴としている。
項１：  ヘッド枠と、ヘッド枠に連設され、長手方向に櫛状の簀子座を有する前床及び後床を備え、前床の簀子座に後床の簀子座を嵌装して、後床のスライドにより床長を伸縮自在にした伸縮収納ベッド。
項２：前床の簀子座は後端を除いて床枠で囲み、後床の簀子座は前端を除いて床枠で囲み、前床の後端下面と後床の前端下面に係止板を設けて各簀子を一本毎に接合し、少なくともいずれか一方の接合は、両簀子座を嵌装した後に行い、前床と後床を一体化し、両係止板の係合により、伸長時に前床から後床が抜けないようにした項１の伸縮収納ベッド。
項３：前床の両側床枠に案内凹溝を設け、後床の両側床枠に案内凸条を設け、案内凹溝に案内凸条を挿通するようにした項１又は項２の伸縮収納ベッド。
項４：ヘッド枠の下部に支持板を設け、前床両側の床枠に設けられた嵌合溝と支持板との係合により、前床の前端を支持し、後端は後枠に設けられた脚で支持し、後床の前端は実質的に前床の脚で、後端は後枠に設けられた脚で支持するようにした項１乃至項３のいずれか１項に記載の伸縮収納ベッド。
項５：支持板と前床の嵌合溝との係合を支点軸に回動して、前床と後床をヘッド枠に向かい折り畳みできるようにした項１乃至項４のいずれか１項に記載の伸縮収納ベッド。
【０００６】
本考案において、伸縮収納ベッドとは、全部材を望ましくは木で構築し、着脱可能に組み立て得るベッドを意味し、カウチ、椅子などの座を同様に伸縮自在にしたものを含む多機能ベッドでもある。
【考案の効果】
【０００７】
本考案の伸縮収納ベッドは、基本的に全部材が実質的に木製で、簡単に着脱可能な手段で組み立てられており、以下の効果及び利点を有する。
（１）前床と後床の長手方向の簀子座を嵌装することにより、駆動装置や面合わせ部材など、特別な手段を要することなく簡単に伸縮できる。
（２）前床と後床の各簀子座の嵌装に、雌雄構造の案内手段を利用して合芯することにより、嵌装を円滑かつ安定的に行う。
（３）前床と後床の前端は、実質的に載置するだけで支持し、後端の支持にのみ脚を使用して部材点数を減らし、組立、解体作業を効率化する。
（４）床の伸縮時、前床と後床を一体的に回動して折り畳むこことにより、収納にスペースをとらず、ベッド不使用時の部屋のスペースセービングにもなる。
【考案を実施するための最良の形態】
【０００８】
以下、図面に従って、本考案の実施の一形態を説明する。図１は、本考案の伸縮収納ベッドの伸長時を示す斜視図である。図１において、本考案のベッドは、ヘッド枠１に伸縮自在に連設された前床７と後床１３で構成されている。この前床７と後床１３は、各々櫛状の簀子座８と簀子座１４を備えていて、互い違いに嵌装し、後床１３を前後にスライドできるようにしている。前床７と後床１３の各簀子座８及び１４の嵌装に当たっては、図２に示すように、前床７の両側床枠１０の案内凹溝１０ａに、後床１３の両側床枠１６の案内凸条１６ａを挿通することにより行う。このことにより、簀子座８及び１４の嵌装が容易となり、後床１３のスライドが安定する。一方、前床７の簀子座８は、後端を除いて三方を前端床枠９と両側床枠１０により固定されている。後床１３は、前端を除いて三方を後端床枠１５と両側床枠１６により固定されている。図３に示すように、前床７の後部下面には係止板１１を簀子と一本毎に接合している。また、この係止板１１の両側には、一対の脚１２を着脱自在に螺着する。同様に後床１３の前部下面には係止板１７を簀子と一本毎に接合する。二つの係止板１１と１７のいずれか一方は、前床７と後床１３の各簀子座８及び１４を嵌装した後に固定し、伸長時に後床１３が前床７から抜けるのを防止している。したがって、上面からは、前床７の簀子と後床１３の簀子が互い違いに一部交差して見える。
【０００９】
図４は、本考案のヘッド枠１の構造と、前床７の関係を示す模式図である。図４において、一対の脇板２には、ボード３と支持板５が横架されている。２ａは、脇板２を安定化する足部である。ボード３は、一対の脇板２に楔４を挿通して固定し、支持板５は同様に一対の脇板２に楔６を打ち込んで固定する。いずれも、取り外し可能である。この支持板５の上部と、前床７の両側床枠１０の前部に設けられた嵌合溝１０ｂが係合し、前床７の前端を支持する。前床７の後端は、後部下面の係止板１１の両側に螺着された一対の脚１２により支持する。一方、後床１３の前端は、前床７との嵌装により、伸長時には実質的に前床７の脚１２で支持され、後端は後部床枠１５の下面両側に螺着された脚１８で支持する。本考案では、２枚の床に対し４個の脚ですますことにより、部材点数を半減し、組立作業の省力化を達成している。
【００１０】
以上のごとく構成された本考案の伸縮収納ベッドは、後床１３を前後にスライドすることにより、ベッドとしての使用時には、図１に示すように伸長して用いる。不使用時には、後床１３を押し込むことにより、図５に示すように簡単に短縮できる。また必要に応じて、ヘッド枠１の支持板５と前床７の両側床枠１０の嵌合溝１０ｂとの係合を支点軸として、図６（イ）に示すように、短縮された前床７と後床１３を一体として持ち上げ、図６（ロ）に示すようにヘッド枠１に向けて折り畳み、収納スペースの節約をはかることもできる。
【産業上の利用可能性】
【００１１】
本考案の伸縮収納ベッドは、伸縮自在でかつ折り畳み収納ができるので、マンション等の比較的狭隘な場所でも広く利用できる。加えて、本考案の簀子座構造は、ベッド同様の座を有するカウチや椅子にも、そのまま適用可能である。
【図面の簡単な説明】
【００１２】
【図１】本考案の伸縮収納ベッドの伸長時を示す斜視図である。
【図２】図１の前床の両側床枠の案内凹溝と、後床の両側床枠の案内凸条の挿通状態を示す一部切り欠き断面の斜視図である。
【図３】図１の前床と後床の係合板の取り付け構造を示す一部きり欠き背面の斜視図である。
【図４】図１の伸縮収納ベッドのヘッド枠の構造と、前床の両側床枠の前部に設けられた嵌合溝との係合関係を示す模式図である。
【図５】図１の伸縮収納ベッドの縮小時を示す斜視図である。
【図６】図１の伸縮収納ベッドの折り畳み時の斜視図で、（イ）は短縮された床の持ち上げ過程を示し、（ロ）は折り畳み状態を示す。
【符号の説明】
【００１３】
１……ヘッド枠
２……脇板
２ａ……足部
３……ボード
４……楔
５……支持板
６……楔
７……前床
８……簀子座
９……前端床枠
１０……両側床枠
１０ａ……案内凹溝
１０ｂ……嵌合溝
１１……係止板
１２……脚
１３……後床
１４……簀子座
１５……後端床枠
１６……両側床枠
１６ａ……案内凸条
１７……係止板
１８……脚
【図１】
0003145686.tif 000003
【図２】
0003145686.tif 000004
【図３】
0003145686.tif 000005
【図４】
0003145686.tif 000006
【図５】
0003145686.tif 000007
【図６】
0003145686.tif 000008